(57)【要約】【課題】  車内にノートパソコンが機能的で使いやすい位置にテーブルを、取り付け出来ようにセンターコンソールカバーを改良する。【解決手段】  テーブルの支柱がテーブル面に垂直に取り付けられるセンターコンソールカバーの提供【選択図】  図１
2007015672.tif 000002
【特許請求の範囲】
【請求項１】
自動車内における新たな空間にテーブルを置く際、テーブルを固定する為に、運転席と助手席との間のセンターコンソールカバーに直接テーブルの支柱を取り付けることが出来る支柱受けが付いた一体型センターコンソールカバー
【発明の詳細な説明】
【技術分野】
【０００１】本発明は、車内テーブルを安全かつ使いやすく又多くの車に搭載可能とした技術に関するものである。
【背景技術】
【０００２】
【特許文献１】  ２００３−０１９９２５  ハンドルに固定型
【特許文献２】  ２０００−３３５３１５  グローボックス改良型
従来から車載テーブルは、車によっては、テーブルがフロントパネル付近から引っ張り出して使うものがあるが、ノートパソコンのような、大型のものには、対応出来なく上記のようなハンドルに固定して使うものか、あるいは、グローボックスを改良してテーブルを置くスペースを作るなど、それなりには、使われているが一台一台車種により形、大きさなどが違うため、又使い方が人によってさまざまなど難しい面があり総ての車、使い道に機能的に搭載するようには、まったく考慮されていない。又すべての車の助手席に置くスタンドタイプがあるが、ツードア車等は、後席の人の乗り降りの際、助手席を動かす必要があり、邪魔になりいまひとつ改良の余地があるのが、現状である。
【発明の開示】
【発明が解決しようとする課題】かかる従来、多くの車に機能的に使えるよう本発明が解決しようとする課題を有する、すなわち、本発明は、殆どの車に機能的に使えるよう構成したところに課題の解決がある
【課題を解決するための手段】  本発明は上記の如き問題を解決するために開発したものであって、運転席、助手席どちらからでも安全に、使いやすくテーブルが水平に取り付く位置に垂直に支柱が立つよう支柱受けをセンターコンソールカバーと一体にし、支柱受けは、支柱が回転し又、回らないように固定できる構造を持つセンターコンソールカバーを提供する。
【発明の効果】本発明は、支柱受け付きの、センターコンソールカバーという独特の発想であるから、車のハンドルにとり付けると運転者しかパソコンテーブルが使えなかったり、かつ乗り降りの際、邪魔になるような障害がなく又グローボックスの改良にしても助手席側しか使えなかったりするようなことが無いため、どこの席からもそれなりに使え、機能的にも大変優れたもので便利で安全です。
【発明を実施するための最良の形態】  本発明の実施形態は、せまい車内にパソコンでも使用可能な、テーブルの設置ですので、万が一ゆれて倒れたり計器類の邪魔になったりすると使えないため、位置や重さ及び安定性を得る為、センターコンソールカバーと一体型にすることで安定したテーブルが得られノートパソコンでも使用出来るように構成されている。
【実施例】  以下、図面に従って本発明の実施例について説明する。図１は本発明の支柱付きセンターコンソールカバーと車載用パソコンテーブルを示したものであり前席中央に本発明の支柱付きセンターコンソールカバー（１）を車に取り付ける。支柱（３）を支柱受けに入れ支柱を固定できるよう袋ナット及び固定ノブ（２）等を使うことで任意の方向に固定することが出来る。支柱は、二段に構成され、それによりテーブル（４）の高さを自由に変えられる構造から構成されており、本発明の特徴は、直接車に設置する（１）の支柱付きセンターコンソールカバーである。
【産業上の利用可能性】多様化する現代社会においてパソコンは、必需品です。車内でのノートパソコンは、ますますスピード時代を反映し多く使われるにせよ少なくなることは、ありえません。インターネット、映画、音楽、ゲーム、カーナビ等は、ビジネスや旅行にいろいろ使えるため多くの人に使われると思います。その為機能性の高い車載パソコン  テーブルの需要は、大きくなると思われます。
【図面の簡単な説明】
【図１】    本発明の支柱受け付きセンターコンソールカバーとパソコンテーブル
【符号の説明】
１    支柱受け付きコンソールカバー
２    支柱固定ノブ
３    ２段式伸縮支柱
４    テーブル
【図１】
2007015672.tif 000003
【図２】
2007015672.tif 000004
【手続補正書】
【提出日】平成17年9月26日(2005.9.26)
【手続補正２】
【補正対象書類名】明細書
【補正対象項目名】全文
【補正方法】変更
【補正の内容】
【発明の詳細な説明】
【技術分野】
【０００１】本発明は、車内テーブルを安全かつ使いやすく又多くの車に搭載可能とした技術に関するものである。
【背景技術】
【０００２】
【特許文献１】２００３−０１９９２５  ハンドルに固定型
【特許文献２】２０００−３３５３１５  グローボックス改良型
従来から車載テーブルは、車によっては、テーブルがフロントパネル付近から引っ張り出して使うものがあるが、ノートパソコンのような、大型のものには、対応出来なく上記のようなハンドルに固定して使うものか、あるいは、グローボックスを改良してテーブルを置くスペースを作るなど、それなりには、使われているが一台一台車種により形、大きさなどが違うため、又使い方が人によってさまざまなど難しい面があり総ての車、使い道に機能的に搭載するようには、まったく考慮されていない。又すべての車の助手席に置くスタンドタイプがあるが、ツードア車等は、後席の人の乗り降りの際、助手席を動かす必要があり、邪魔になりいまひとつ改良の余地があるのが、現状である。
【発明の開示】
【発明が解決しようとする課題】
【０００３】かかる従来、多くの車に機能的に使えるよう本発明が解決しようとする課題を有する、すなわち、本発明は、殆どの車に機能的に使えるよう構成したところに課題の解決がある
【課題を解決するための手段】
【０００４】  本発明は上記の如き問題を解決するために開発したものであって、運転席、助手席どちらからでも安全に、使いやすくテーブルが水平に取り付く位置に垂直に支柱が立つよう支柱受けをセンターコンソールカバーと一体にし、支柱受けは、支柱が回転し又、回らないように固定できる構造を持つセンターコンソールカバーを提供する。
【発明の効果】
【０００５】本発明は、支柱受け付きの、センターコンソールカバーという独特の発想であるから、車のハンドルにとり付けると運転者しかパソコンテーブルが使えなかったり、かつ乗り降りの際、邪魔になるような障害がなく又グローボックスの改良にしても  助手席側しか使えなかったりするようなことが無いため、どこの席からもそれなりに使え、機能的にも大変優れたもので便利で安全です。
【発明を実施するための最良の形態】
【０００６】  本発明の実施形態は、せまい車内にパソコンでも使用可能な、テーブルの設置ですので、万が一ゆれて倒れたり計器類の邪魔になったりすると使えないため、位置や重さ及び安定性を得る為、センターコンソールカバーと一体型にすることで安定したテーブルが得られノートパソコンでも使用出来るように構成されている。
【実施例】
【０００７】    以下、図面に従って本発明の実施例について説明する。  図１は車に取り付けた本発明の支柱付きセンターコンソールカバーと車載用パソコンテーブルを示したものであり前席中央に本発明の支柱付きセンターコンソールカバー（１）を車に取り付け支柱（３）を支柱受けに入れ支柱を固定できるよう袋ナット及び固定ノブ（２）等を使うことで任意の方向に固定することが出来る。支柱は、二段に構成され、テーブル（４）の高さを自由に変えられる構造から構成されており、それらによりテーブルを使いやすい位置に設置することが出来る。本発明の特徴は、直接テーブル支柱を設置することが出来るセンターコンソールカバーである。
図２は、本発明の支柱受け付きの一体型センターコンソールカバーである。
【産業上の利用可能性】
【０００８】多様化する現代社会においてパソコンは、必需品です。車内でのノートパソコンは、ますますスピード時代を反映し多く使われるにせよ少なくなることは、ありえません。インターネット、映画、音楽、ゲーム、カーナビ等は、ビジネスや旅行にいろいろ使えるため多くの人に使われると思います。その為安全で機能性の高い車載パソコンテーブルの需要は、大きくなると思われます。
【図面の簡単な説明】
【０００９】
【図１】本発明の支柱受け付きセンターコンソールカバーとパソコンテーブルを取り付けた状態
【図２】支柱受けが、設けられた一体型センターコンソールカバー
【符号の説明】
【００１０】１    支柱受け付きコンソールカバー
２    支柱固定ノブ
３    ２段式伸縮支柱
４    テーブル